(57)【要約】      （修正有）【課題】ディスク編集装置における記録再生可能ディスクの有無に関係無く、タイトル一覧表示を行うことができるディスク編集装置およびタイトル表示方法を提供する。【解決手段】情報読み出し書き込み手段１１、タイトル情報識別手段１２、タイトル情報表示手段１３、タイトル情報記録手段１５を制御するシステム制御手段１４を備え、システム制御手段１４は、記録再生可能ディスク２へのタイトル情報の記録再生時に、当該タイトル情報をタイトル情報記録手段１５へ記録し、タイトル情報の表示時にディスク編集装置１における記録再生可能ディスク２の有無に関係無くタイトル情報記録手段１５に記録されたタイトル情報を一覧表示する。【選択図】図１
2005203049.tif 000002
【特許請求の範囲】
【請求項１】
映像情報や音声情報等のコンテンツ情報と共にタイトル情報を記録再生可能ディスクに記録再生する機能を有するディスク編集装置であって、記録再生可能ディスクに記録されたコンテンツ情報とタイトル情報の読み出し、および記録再生可能ディスクへコンテンツ情報とタイトル情報の書き込みを行う情報読み出し書き込み手段と、記録再生可能ディスクから読み出したタイトル情報を識別するタイトル情報識別手段と、タイトル情報を使用者に分かるよう表示するタイトル情報表示手段と、前記記録再生可能ディスクとは別途にタイトル情報を記録するタイトル情報記録手段と、情報読み出し書き込み手段、タイトル情報識別手段、タイトル情報表示手段、タイトル情報記録手段を制御するシステム制御手段とを備え、
システム制御手段は、記録再生可能ディスクへのタイトル情報の記録再生時に、当該タイトル情報をタイトル情報記録手段へ記録し、タイトル情報の表示時にディスク編集装置内における記録再生可能ディスクの有無に関係無くタイトル情報記録手段に記録されたタイトル情報を一覧表示することを特徴とするディスク編集装置。
【請求項２】
ディスク編集装置に装着した記録再生可能ディスクのタイトル情報とタイトル情報記録手段に記録したタイトル情報との一致を判断するタイトル情報一致判断手段を備え、
システム制御手段は、タイトル情報一致判断手段の判断結果に基づいて、タイトル情報を一覧表示する際に前記記録再生可能ディスクに存在するタイトル情報とタイトル情報記録手段にのみ存在するタイトル情報とを区別して表示することを特徴とする請求項１記載のディスク編集装置。
【請求項３】
ディスク編集装置に装着した記録再生可能ディスクのタイトル情報とタイトル情報記録手段のタイトル情報とを比較判断するタイトル情報比較判断手段を備え、
システム制御手段は、タイトル情報比較判断手段が記録再生可能ディスクのタイトル情報が更新されているとした判断結果に基づいてタイトル情報記録手段のタイトル情報を記録再生可能ディスクのタイトル情報に更新することを特徴とする請求項１記載のディスク編集装置。
【請求項４】
タイトル情報記録手段のタイトル情報を識別するディスク識別手段を備え、システム制御手段は、ディスク識別手段の判断結果に基づいてタイトル情報記録手段のタイトル情報を各記録再生可能ディスク毎に一覧表示することを特徴とする請求項１記載のディスク編集装置。
【請求項５】
ディスク編集装置に対して物理的に分離可能なタイトル情報独立記録手段を備え、
システム制御手段は、タイトル情報識別手段のタイトル情報をタイトル情報独立記録手段に記録し、異なるディスク編集装置間においてタイトル情報独立記録手段を介してタイトル情報を共有することを特徴とする請求項１記載のディスク編集装置。
【請求項６】
コンテンツ情報への記録再生のアクセス回数を記録制御するアクセス回数制御手段を備え、
システム制御手段は、アクセス回数制御手段に記録された各コンテンツ情報のアクセス回数順に並べ替えてタイトル情報記録手段に記録したタイトル情報を一覧表示することを特徴とする請求項１記載のディスク編集装置。
【請求項７】
タイトル情報記録手段のタイトル情報を使用者の操作により変更することができるタイトル情報変更手段を備え、
システム制御手段は、タイトル情報変更手段によって変更したタイトル情報記録手段のタイトル情報に基づいて、実際の変更操作を伴うことなく記録再生可能ディスクのタイトル情報を記録順序変更、複写、削除したものとして扱うことを特徴とする請求項１記載のディスク編集装置。
【請求項８】
ディスク編集装置に装着した記録再生可能ディスクのタイトル情報とタイトル情報記録手段のタイトル情報とを比較判断するタイトル情報更新判断手段と、タイトル情報記録手段のタイトル情報を使用者の操作により変更することができるタイトル情報変更手段を備え、
システム制御手段は、タイトル情報更新判断手段が記録再生可能ディスクのタイトル情報が更新されているとした判断結果に基づいてタイトル情報記録手段のタイトル情報を記録再生可能ディスクのタイトル情報に更新し、タイトル情報変更手段によって変更したタイトル情報記録手段のタイトル情報に基づいて、実際の変更操作を伴うことなく記録再生可能ディスクのタイトル情報を記録順序変更、複写、削除したものとして扱い、タイトル情報更新判断手段が記録再生可能ディスクのタイトル情報が更新されていると判断する場合においてタイトル情報変更手段によって変更したタイトル情報記録手段のタイトル情報は更新しないことを特徴とする請求項１記載のディスク編集装置。
【請求項９】
請求項１記載のディスク編集装置において、記録再生可能ディスクに記録された映像情報や音声情報と共に記録されたタイトル情報を表示するタイトル表示方法であって、
システム制御手段が、記録再生可能ディスク有無判断ステップでディスク編集装置内の記録再生可能ディスクの有無を判断し、記録再生可能ディスク有無判断ステップで記録再生可能ディスク有りと判断する場合にディスクタイトル情報表示ステップで記録再生可能ディスクから読み出したタイトル情報を表示し、記録再生可能ディスク有無判断ステップで記録再生可能ディスク無しと判断する場合にタイトル情報表示ステップでタイトル情報記録手段のタイトル情報を表示することで、ディスク編集装置内の記録再生可能ディスクの有無に関係無くタイトル情報を一覧表示することを特徴とするタイトル表示方法。
【請求項１０】
システム制御手段が、タイトル情報一致判断ステップでタイトル情報記録手段のタイトル情報とディスク編集装置内の記録再生可能ディスクのタイトル情報とを一致判断し、タイトル情報表示ステップで前記記録再生可能ディスクに存在するタイトル情報とタイトル情報記録手段にのみ存在するタイトル情報とを区別して一覧表示することを特徴とする請求項９記載のタイトル表示方法。
【請求項１１】
システム制御手段が、タイトル情報比較判断ステップで記録再生可能ディスクのタイトル情報とタイトル情報記録手段のタイトル情報とを比較判断し、タイトル情報比較判断ステップで記録再生可能ディスクのタイトル情報が更新されているとした判断する場合にタイトル情報記録手段のタイトル情報を記録再生可能ディスクのタイトル情報に更新することを特徴とする請求項９記載のタイトル表示方法。
【請求項１２】
システム制御手段が、ディスク識別ステップで記録再生可能ディスクを識別し、ディスク識別ステップの判断結果に基づいてタイトル情報記録手段のタイトル情報を各記録再生可能ディスク毎に一覧表示することを特徴とする請求項９記載のタイトル表示方法。
【請求項１３】
システム制御手段が、アクセス回数制御ステップでコンテンツ情報の記録再生のアクセス回数を記録制御し、アクセス回数制御ステップで記録した各コンテンツ情報のアクセス回数順に並べ替えてタイトル情報記録手段に記録したタイトル情報を一覧表示することを特徴とする請求項９記載のタイトル表示方法。
【発明の詳細な説明】
【技術分野】
【０００１】
本発明はディスク編集装置およびタイトル表示方法に関し、記録再生可能ディスクの記録／再生機能の技術に係るものである。
【背景技術】
【０００２】
従来のディスク編集装置におけるタイトル一覧表示方法は、例えば特許文献１に示すように、ディスク編集装置に入っている記録再生可能ディスクのタイトル情報を読み出して一覧表示している。しかし、ディスク編集装置に記録再生可能ディスクが入っていなければタイトル表示を行えない。
【０００３】
以下、従来のディスク編集装置におけるタイトル一覧表示について説明する。記録再生可能ディスク内に記録されている映像情報、音声情報に付与されたタイトル情報を一覧表示するためには、まず、情報読み出し書き込み手段で記録再生可能ディスクのタイトル情報を読み出して取得し、あるいは、記録再生可能ディスクに書き込む際のタイトル情報を取得し、タイトル情報識別手段でタイトル情報を識別し、タイトル情報表示手段でタイトル情報を表示し、これら一連の動作をシステム制御手段が制御する。
【０００４】
この構成のディスク編集装置では、ディスク編集装置内に記録再生可能ディスクが無い場合に「ディスク無し」を表示し、記録再生可能ディスクが有る場合には記録再生可能ディスクのタイトル情報を一覧表示する。
【０００５】
従来のディスク編集装置におけるタイトル一覧表示処理方法においては、記録再生可能ディスク内に記録されたタイトル情報を一覧表示するためには、まず、ディスク編集装置内の記録再生可能ディスク有無を判断し、記録再生可能ディスクが有れば記録再生可能ディスクのタイトル一覧表示を行い、記録再生可能ディスクが無ければ記録再生可能ディスクが無い旨の表示を行う。
【特許文献１】特開平３−２９６９８３号公報
【発明の開示】
【発明が解決しようとする課題】
【０００６】
しかしながら、従来のディスク編集装置では、記録再生可能ディスクのタイトル情報を表示させるためには、ディスク編集装置に入れて読み出す必要が有るために記録再生可能ディスクの記録情報を速やかに確認することができない。また、所有する記録再生可能ディスクの枚数が増えるに伴い、タイトルの把握、管理が困難になるという問題があった。
【０００７】
本発明は、上記問題点を解決するために、記録再生可能ディスクのタイトル情報を情報記録手段に記録しておき、ディスク編集装置における記録再生可能ディスクの有無に関係無く、タイトル一覧表示を行うことができるディスク編集装置およびタイトル表示方法を提供することを目的とする。
【０００８】
また、これまでに記録／再生したことの有るタイトル情報の中で、ディスク編集装置内にある記録再生可能ディスクに存在するタイトルを区別できるように一覧表示したり、記録再生可能ディスク毎に区別できるようにタイトル一覧表示することにより、タイトルの把握、記録再生可能ディスクの管理を容易に行えるディスク編集装置およびタイトル表示方法を提供することを目的とする。
【０００９】
また、タイトル情報記録手段を、ディスク編集装置と別の独立した記録媒体に記録することにより、異なるディスク編集装置間で、タイトル情報を共有し、記録再生可能ディスク、タイトルの管理を容易に行えるディスク編集装置およびタイトル表示方法を提供することを目的とする。
【課題を解決するための手段】
【００１０】
本発明の請求項１記載のディスク編集装置は、映像情報や音声情報等のコンテンツ情報と共にタイトル情報を記録再生可能ディスクに記録再生する機能を有するディスク編集装置であって、記録再生可能ディスクに記録されたコンテンツ情報とタイトル情報の読み出し、および記録再生可能ディスクへコンテンツ情報とタイトル情報の書き込みを行う情報読み出し書き込み手段と、記録再生可能ディスクから読み出したタイトル情報を識別するタイトル情報識別手段と、タイトル情報を使用者に分かるよう表示するタイトル情報表示手段と、前記記録再生可能ディスクとは別途にタイトル情報を記録するタイトル情報記録手段と、情報読み出し書き込み手段、タイトル情報識別手段、タイトル情報表示手段、タイトル情報記録手段を制御するシステム制御手段とを備え、
システム制御手段は、記録再生可能ディスクへのタイトル情報の記録再生時に、当該タイトル情報をタイトル情報記録手段へ記録し、タイトル情報の表示時にディスク編集装置内における記録再生可能ディスクの有無に関係無くタイトル情報記録手段に記録されたタイトル情報を一覧表示することを特徴とする。
【００１１】
本発明の請求項２記載のディスク編集装置は、ディスク編集装置に装着した記録再生可能ディスクのタイトル情報とタイトル情報記録手段に記録したタイトル情報との一致を判断するタイトル情報一致判断手段を備え、
システム制御手段は、タイトル情報一致判断手段の判断結果に基づいて、タイトル情報を一覧表示する際に前記記録再生可能ディスクに存在するタイトル情報とタイトル情報記録手段にのみ存在するタイトル情報とを区別して表示することを特徴とする。
【００１２】
本発明の請求項３記載のディスク編集装置は、ディスク編集装置に装着した記録再生可能ディスクのタイトル情報とタイトル情報記録手段のタイトル情報とを比較判断するタイトル情報比較判断手段を備え、
システム制御手段は、タイトル情報比較判断手段が記録再生可能ディスクのタイトル情報が更新されているとした判断結果に基づいてタイトル情報記録手段のタイトル情報を記録再生可能ディスクのタイトル情報に更新することを特徴とする。
【００１３】
本発明の請求項４記載のディスク編集装置は、タイトル情報記録手段のタイトル情報を識別するディスク識別手段を備え、
システム制御手段は、ディスク識別手段の判断結果に基づいてタイトル情報記録手段のタイトル情報を各記録再生可能ディスク毎に一覧表示することを特徴とする。
【００１４】
本発明の請求項５記載のディスク編集装置は、ディスク編集装置に対して物理的に分離可能なタイトル情報独立記録手段を備え、
システム制御手段は、タイトル情報識別手段のタイトル情報をタイトル情報独立記録手段に記録し、異なるディスク編集装置間においてタイトル情報独立記録手段を介してタイトル情報を共有することを特徴とする。
【００１５】
本発明の請求項６記載のディスク編集装置は、コンテンツ情報への記録再生のアクセス回数を記録制御するアクセス回数制御手段を備え、
システム制御手段は、アクセス回数制御手段に記録された各コンテンツ情報のアクセス回数順に並べ替えてタイトル情報記録手段に記録したタイトル情報を一覧表示することを特徴とする。
【００１６】
本発明の請求項７記載のディスク編集装置は、タイトル情報記録手段のタイトル情報を使用者の操作により変更することができるタイトル情報変更手段を備え、
システム制御手段は、タイトル情報変更手段によって変更したタイトル情報記録手段のタイトル情報に基づいて、実際の変更操作を伴うことなく記録再生可能ディスクのタイトル情報を記録順序変更、複写、削除したものとして扱うことを特徴とする。
【００１７】
本発明の請求項８記載のディスク編集装置は、ディスク編集装置に装着した記録再生可能ディスクのタイトル情報とタイトル情報記録手段のタイトル情報とを比較判断するタイトル情報更新判断手段と、タイトル情報記録手段のタイトル情報を使用者の操作により変更することができるタイトル情報変更手段を備え、
システム制御手段は、タイトル情報更新判断手段が記録再生可能ディスクのタイトル情報が更新されているとした判断結果に基づいてタイトル情報記録手段のタイトル情報を記録再生可能ディスクのタイトル情報に更新し、タイトル情報変更手段によって変更したタイトル情報記録手段のタイトル情報に基づいて、実際の変更操作を伴うことなく記録再生可能ディスクのタイトル情報を記録順序変更、複写、削除したものとして扱い、タイトル情報更新判断手段が記録再生可能ディスクのタイトル情報が更新されていると判断する場合においてタイトル情報変更手段によって変更したタイトル情報記録手段のタイトル情報は更新しないことを特徴とする。
【００１８】
本発明の請求項９記載のタイトル表示方法は、記録再生可能ディスクに記録された映像情報や音声情報と共に記録されたタイトル情報を表示するタイトル表示方法であって、
システム制御手段が、記録再生可能ディスク有無判断ステップでディスク編集装置内の記録再生可能ディスクの有無を判断し、記録再生可能ディスク有無判断ステップで記録再生可能ディスク有りと判断する場合にディスクタイトル情報表示ステップで記録再生可能ディスクから読み出したタイトル情報を表示し、記録再生可能ディスク有無判断ステップで記録再生可能ディスク無しと判断する場合にタイトル情報表示ステップでタイトル情報記録手段のタイトル情報を表示することで、ディスク編集装置内の記録再生可能ディスクの有無に関係無くタイトル情報を一覧表示することを特徴とする。
【００１９】
本発明の請求項１０記載のタイトル表示方法は、システム制御手段が、タイトル情報一致判断ステップでタイトル情報記録手段のタイトル情報とディスク編集装置内の記録再生可能ディスクのタイトル情報とを一致判断し、タイトル情報表示ステップで前記記録再生可能ディスクに存在するタイトル情報とタイトル情報記録手段にのみ存在するタイトル情報とを区別して一覧表示することを特徴とする。
【００２０】
本発明の請求項１１記載のタイトル表示方法は、システム制御手段が、タイトル情報比較判断ステップで記録再生可能ディスクのタイトル情報とタイトル情報記録手段のタイトル情報とを比較判断し、タイトル情報比較判断ステップで記録再生可能ディスクのタイトル情報が更新されているとした判断する場合にタイトル情報記録手段のタイトル情報を記録再生可能ディスクのタイトル情報に更新することを特徴とする。
【００２１】
本発明の請求項１２記載のタイトル表示方法は、システム制御手段が、ディスク識別ステップで記録再生可能ディスクを識別し、ディスク識別ステップの判断結果に基づいてタイトル情報記録手段のタイトル情報を各記録再生可能ディスク毎に一覧表示することを特徴とする。
【００２２】
本発明の請求項１３記載のタイトル表示方法は、システム制御手段が、アクセス回数制御ステップでコンテンツ情報の記録再生のアクセス回数を記録制御し、アクセス回数制御ステップで記録した各コンテンツ情報のアクセス回数順に並べ替えてタイトル情報記録手段に記録したタイトル情報を一覧表示することを特徴とする。
【発明の効果】
【００２３】
本発明によれば、過去にディスク編集装置で記録再生した映像情報、音声情報のタイトル情報を一覧表示できるので、ディスク編集装置内に記録再生可能ディスクを入れる煩わしさがなくタイトル情報の確認が非常に容易に行えるようになる。
【００２４】
また、本発明によれば、ディスク編集装置内に記録再生可能ディスクが有る場合に、タイトル一覧表示で区別して表示できるので、ディスク編集装置内に有る記録再生可能ディスクのタイトル情報と他の記録再生可能ディスクのタイトル情報の区別を非常に容易に行えるようになる。
【００２５】
また、本発明によれば、記録再生可能ディスクの記録内容が他のディスク編集装置で変更されても自動的に検出し更新するので、記録再生可能ディスクに対する最新のタイトル情報の確認を非常に容易に行えるようになる。
【００２６】
また、本発明によれば、記録再生可能ディスク毎のタイトル情報を一覧表示できるので、記録再生可能ディスクの所有枚数が増えた場合にも記録再生可能ディスクの管理を非常に容易に行えるようになる。
【００２７】
また、本発明によれば、タイトル情報記録手段を他のディスク編集装置と共用できるので、ディスク編集装置が複数ある場合にもタイトル情報の確認が非常に容易に行えるようになる。
【００２８】
また、本発明によれば、映像情報、音声情報を記録再生した回数を自動カウントできるので、タイトル表示の際にアクセス回数順に並べ替えて表示し、頻繁にアクセスする映像情報、音声情報の確認を非常に容易に行えるようになる。
【００２９】
また、本発明によれば、タイトル情報記録手段の記録情報を使用者が設定できることにより、記録再生可能ディスクの情報は変更することなく、記録順序変更、複写、削除したものとして扱えるようになる。
【発明を実施するための最良の形態】
【００３０】
以下、本発明のディスク編集装置について説明する。
（実施の形態１）
以下、本発明の実施の形態１について、図１を用いて説明する。図１の（ａ）において、ディスク編集装置１は、映像情報や音声情報等のコンテンツ情報と共にタイトル情報を記録再生可能ディスク２に記録再生する機能を有するものであって、記録再生可能ディスク２を着脱可能に搭載しており、情報読み出し書き込み手段１１とタイトル情報識別手段１２とタイトル情報表示手段１３とシステム制御手段１４とタイトル情報記録手段１５を備えている。
【００３１】
情報読み出し書き込み手段１１は、記録再生可能ディスク２からタイトル情報およびコンテンツ情報を読み出し、あるいは記録再生可能ディスク２へタイトル情報およびコンテンツ情報を書き込むものであり、光学式、磁気式、光磁気式等のデバイスである。
【００３２】
タイトル情報識別手段１２は、情報読み出し書き込み手段１１により読み出した情報の中からタイトル情報に関する情報を識別して取得し、取得した情報をメモリー回路等に一時的に記憶するものである。
【００３３】
タイトル情報記録手段１５はタイトル情報識別手段１２が取得したタイトル情報を記録再生可能ディスク２とは別途に記録するものであり、記録媒体としてはディスク、メモリー回路等の記録した情報を継続して保存可能な媒体を用いる。
【００３４】
タイトル情報表示手段１３は、タイトル情報識別手段１２およびタイトル情報記録手段１５に記憶したタイトル情報を使用者に分かるように一覧表示するもので、ディスプレイ装置等からなる。
【００３５】
システム制御手段１４は、情報読み出し書き込み手段１１とタイトル情報識別手段１２とタイトル情報表示手段１３とタイトル情報記録手段１５を制御するものである。
上記した構成において、記録再生可能ディスク２に記録されているタイトル情報を一覧表示する手順を説明する。まず、システム制御手段１４は情報読み出し書き込み手段１１によるタイトル情報の記録再生時に、記録再生可能ディスク２から読み出すタイトル情報、あるいは、記録再生可能ディスク２へ書き込むタイトル情報をタイトル情報識別手段１２で識別して一時的に記憶し、タイトル情報識別手段１２で取得したタイトル情報をタイトル情報記録手段１５によって記録する。
【００３６】
タイトル情報の表示時には、タイトル情報表示手段１３でタイトル情報識別手段１２およびタイトル情報記録手段１５のタイトル情報を一覧表示し、タイトル情報記録手段１５のタイトル情報はディスク編集装置内における記録再生可能ディスク２の有無に関係無く一覧表示する。
【００３７】
以上の動作によって表示されるタイトル一覧表示は、例えば図１の（ｂ）に示すようなものであり、「従来」はディスク編集装置１に記録再生可能ディスク２が装着されていない場合にディスクが無い旨を表示していたことを示し、「本発明導入後」は、ディスク編集装置１の内部における記録再生可能ディスク２の有無に関係無くタイトル情報を一覧表示できることを示している。このように、ディスク編集装置１における記録再生可能ディスク２の装着の有無に関係無くタイトル情報を一覧表示することができるので、過去に記録再生したタイトルの確認が容易に行えるようになる。
【００３８】
（実施の形態２）
本発明の実施の形態２について、図２を用いて説明する。図２の（ａ）におけるディスク編集装置１は、図１における構成と同様に、記録再生可能ディスク２を着脱可能に搭載し、情報読み出し書き込み手段１１とタイトル情報識別手段１２とタイトル情報表示手段１３とシステム制御手段１４とタイトル情報記録手段１５を備えている。
【００３９】
実施の形態１と異なる点は、タイトル情報識別手段１２の内容とタイトル情報記録手段１５の内容を一致判断するタイトル情報一致判断手段２１を備えている点にあり、システム制御手段１４がタイトル情報一致判断手段２１の判断結果に基づいて、タイトル情報を一覧表示する際に記録再生可能ディスク２に存在するタイトル情報とタイトル情報記録手段１５にのみ存在するタイトル情報とを区別して表示する。
【００４０】
以上の動作によって表示されるタイトル一覧表示は、例えば図２の（ｂ）に示すようなものであり、「従来」はディスク編集装置１に記録再生可能ディスク２が存在する場合に、記録再生ディスク２に存在するタイトル情報のみを一覧表示していたことを示し、「本発明導入後」は、ディスク編集装置１で過去に記録再生したタイトル情報の一覧を表示する中で、ディスク編集装置１に装着した記録再生可能ディスク２のタイトルは他と区別して表示できることを示している。このように、ディスク編集装置１に記録再生可能ディスク２が存在する場合には、そのタイトル情報を他と区別して表示することができるので、過去に記録再生したタイトル情報を一覧表示する場合にあっても、ディスク編集装置１に現在装着している記録再生ディスク２のタイトル情報を容易に認識することができる。
【００４１】
（実施の形態３）
本発明の実施の形態３について、図３を用いて説明する。図３の（ａ）におけるディスク編集装置１は、図１における構成と同様に、記録再生可能ディスク２を着脱可能に搭載し、情報読み出し書き込み手段１１とタイトル情報識別手段１２とタイトル情報表示手段１３とシステム制御手段１４とタイトル情報記録手段１５を備えている。
【００４２】
実施の形態１と異なる点は、記録再生可能ディスク２のタイトル情報、つまりタイトル情報識別手段１２によって取得したタイトル情報と、タイトル情報記録手段１５に記録したタイトル情報とを比較判断し、記録再生可能ディスク２のタイトル情報において更新された情報の有無を判断するタイトル情報更新判断手段３１を備えた点にあり、システム制御手段１４は、タイトル情報更新判断手段３１が記録再生可能ディスク２のタイトル情報が更新されていると判断したときに、その判断結果に基づいてタイトル情報記録手段１５のタイトル情報を記録再生可能ディスク２のタイトル情報に自動的に更新する。
【００４３】
以上の動作によって表示されるタイトル一覧表示は、例えば図３の（ｂ）に示すようなものであり、「記録再生可能ディスクの情報」に「タイトル情報記録手段の情報」と異なる、あるいは追加されたタイトル情報、ここでは「たった二人のための高速道路」が有ると判断した場合に、「タイトル情報記録手段の情報」を更新したことを示している。このように、ディスク編集装置１に装着した記録再生可能ディスク２とタイトル情報記録手段１５の情報が異なる場合には、その情報を自動更新できるので、他のディスク編集装置で記録された記録再生可能ディスク２であってもタイトル情報記録手段１５の情報を常に最新の情報に更新できる。
【００４４】
（実施の形態４）
本発明の実施の形態４について、図４を用いて説明する。図４の（ａ）におけるディスク編集装置１は、図１における構成と同様に、記録再生可能ディスク２を着脱可能に搭載し、情報読み出し書き込み手段１１とタイトル情報識別手段１２とタイトル情報表示手段１３とシステム制御手段１４とタイトル情報記録手段１５を備えている。
【００４５】
実施の形態１と異なる点は、タイトル情報記録手段１５のタイトル情報をディスク毎に区別して識別するディスク識別手段４１を備える点にあり、タイトル一覧表示の際に、システム制御手段は、ディスク識別手段４１の判断結果に基づいてタイトル情報記録手段１５のタイトル情報を各記録再生可能ディスク毎に一覧表示する。
【００４６】
以上の動作によって表示されるタイトル一覧表示は、例えば図４の（ｂ）に示すようなものであり、「従来」はディスク編集装置１の内部に記録再生可能ディスク２が存在する場合に記録再生ディスク２のタイトル情報を一覧表示していたことを示し、「本発明導入後」は、ディスク編集装置１で過去に記録再生したタイトル情報の一覧を記録再生可能ディスク毎に分類して表示できることを示している。このように、記録再生可能ディスク毎に分類して表示することができるので、過去に記録再生したタイトル一覧表示におけるディスク毎のタイトル情報記録内容を容易に区別できるようになる。
【００４７】
（実施の形態５）
本発明の実施の形態５について、図５を用いて説明する。図５の（ａ）におけるディスク編集装置１は、図１における構成と同様に、記録再生可能ディスク２を着脱可能に搭載し、情報読み出し書き込み手段１１とタイトル情報識別手段１２とタイトル情報表示手段１３とシステム制御手段１４とを備えている。
【００４８】
実施の形態１と異なる点は、タイトル情報記録手段１５に代えてディスク編集装置１に対して物理的に分離可能なタイトル情報独立記録手段５１を備える点にあり、システム制御手段１４は、タイトル情報識別手段１２のタイトル情報をタイトル情報独立記録手段５１に記録し、異なるディスク編集装置間においてタイトル情報独立記録手段５１を介してタイトル情報を共有する。
【００４９】
以上の動作によって表示されるタイトル一覧表示は、例えば図５の（ｂ）に示すようなものであり、「従来」はディスク編集装置１に記録再生可能ディスク２が無い場合にはタイトルを表示できないが、「本発明導入後」は「編集装置１」と異なる「編集装置２」においても同じ情報を表示できることを示している。このように、異なるディスク編集装置１の間においてタイトル情報を共有することができるので、ディスク編集装置１を複数所有する場合にタイトル情報を容易に共有できる。
【００５０】
（実施の形態６）
本発明の実施の形態６について、図６を用いて説明する。図６の（ａ）におけるディスク編集装置１は、図１における構成と同様に、記録再生可能ディスク２を着脱可能に搭載し、情報読み出し書き込み手段１１とタイトル情報識別手段１２とタイトル情報表示手段１３とシステム制御手段１４とタイトル情報記録手段１５を備えている。
【００５１】
実施の形態１と異なる点は、記録再生可能ディスク１に記録した映像や音声の情報であるコンテンツ情報への記録再生のアクセス回数を記録制御するアクセス回数制御手段６１を備える点にあり、システム制御手段１４は、アクセス回数制御手段６１に記録された各コンテンツ情報のアクセス回数順に並べ替えて、タイトル情報記録手段１５に記録したタイトル情報を一覧表示する。
【００５２】
以上の動作によって表示されるタイトル一覧表示は、例えば図６の（ｂ）に示すようなものであり、「従来」はディスク編集装置１に記録再生可能ディスク２が存在する場合に、記録再生ディスク２に存在するタイトル情報を一覧表示していたことを示し、「本発明導入後」は、ディスク編集装置１で過去に記録再生したタイトル情報一覧をアクセス回数順に並べ替えて表示できることを示している。このように、タイトル毎のアクセス回数順に並べ替えて表示することができるので、過去に記録再生した映像音声情報の中で頻繁に記録再生するタイトルを容易に把握できるようになる。
【００５３】
（実施の形態７）
本発明の実施の形態７について、図７を用いて説明する。図７の（ａ）におけるディスク編集装置１は、図１における構成と同様に、記録再生可能ディスク２を着脱可能に搭載し、情報読み出し書き込み手段１１とタイトル情報識別手段１２とタイトル情報表示手段１３とシステム制御手段１４とタイトル情報記録手段１５を備えている。
【００５４】
実施の形態１と異なる点は、タイトル情報記録手段１５の記録情報を使用者の操作により変更することができるタイトル情報変更手段７１を備える点にあり、システム制御手段１４は、タイトル情報変更手段７１によって変更したタイトル情報記録手段１５のタイトル情報に基づいて、記録再生可能ディスク２の記録内容の実際の変更操作を伴うことなく記録再生可能ディスク２のタイトル情報を記録順序変更、複写、削除したものとして扱って表示することができる。
【００５５】
以上の動作によって表示されるタイトル一覧表示は、例えば図７の（ｂ）に示すようなものであり、「従来」はディスク編集装置１に記録再生可能ディスク２が存在する場合に、記録再生可能ディスク２に存在するタイトル情報を一覧表示していたことを示し、「本発明導入後」は、ディスク編集装置１で過去に記録再生したタイトル情報を使用者の意図で任意に変更して表示できることを示している。このように、タイトル表示内容を任意に変更して表示することができるので、記録再生可能ディスク２の内容を変更せずに見た目に複写、名称変更、削除したものとしてタイトル一覧表示できるようになる。
【００５６】
（実施の形態８）
本発明の実施の形態８について、図８を用いて説明する。図８の（ａ）におけるディスク編集装置１は、図１における構成と同様に、記録再生可能ディスク２を着脱可能に搭載し、情報読み出し書き込み手段１１とタイトル情報識別手段１２とタイトル情報表示手段１３とシステム制御手段１４とタイトル情報記録手段１５を備えている。
【００５７】
実施の形態１と異なる点は、ディスク編集装置１に装着した記録再生可能ディスク２のタイトル情報とタイトル情報記録手段１５のタイトル情報とを比較判断するタイトル情報更新判断手段８１と、タイトル情報記録手段１５のタイトル情報を使用者の操作により変更することができるタイトル情報変更手段８２を備えた点にあり、システム制御手段１４は、タイトル情報更新判断手段８１が記録再生可能ディスク２のタイトル情報が更新されているとした判断結果に基づいてタイトル情報記録手段１５のタイトル情報を記録再生可能ディスク２のタイトル情報に更新し、タイトル情報変更手段８２によって変更したタイトル情報記録手段１５のタイトル情報に基づいて、実際の変更操作を伴うことなく記録再生可能ディスク２のタイトル情報を記録順序変更、複写、削除したものとして扱い、タイトル情報更新判断手段８１が記録再生可能ディスク２のタイトル情報が更新されていると判断する場合においてタイトル情報変更手段８２によって変更したタイトル情報記録手段１５のタイトル情報は更新しない。
【００５８】
以上の動作によって表示されるタイトル一覧表示は、例えば図８の（ｂ）に示すようなものであり、ディスク編集装置１の記録再生可能ディスク２に記録した「記録再生可能ディスクの情報」がタイトル情報記録手段１５に記録した「タイトル情報記録手段の情報」と異なる、あるいは追加された情報を有すると判断したが、この相違点が使用者の操作によるタイトル情報記録手段８２による記録内容変更であるために、タイトル情報記録手段１５の情報を更新しないことを示している。
【００５９】
このように、請求項３記載のディスク編集装置と請求項７記載のディスク編集装置の機能を両立する場合においても、矛盾無くディスク編集装置１の記録再生可能ディスク２とタイトル情報記録手段１５の情報が異なる場合には自動更新できるので、他のディスク編集装置で記録された記録再生可能ディスク２であってもタイトル情報記録手段１５の情報は常に更新できるようになる。
【００６０】
（実施の形態９）
以下、本発明の実施の形態９について、図９を用いて説明する。図９の（ａ）において、タイトル情報一覧表示する際には、システム制御手段が、記録再生可能ディスク有無判断ステップ９１でディスク編集装置内の記録再生可能ディスクの有無を判断し、記録再生可能ディスクが有る場合にタイトル情報表示ステップ９２で記録再生可能ディスクのタイトル情報を一覧表示し、記録再生可能ディスクが無い場合にタイトル情報表示ステップ９３でタイトル情報記録手段のタイトル情報を表示することで、ディスク編集装置内の記録再生可能ディスク有無に関係無くタイトル情報を一覧表示する。
【００６１】
この方法によって表示されるタイトル一覧表示は、例えば図９の（ｂ）に示すようなものであり、「従来」は記録再生可能ディスクが無い場合に、ディスクが無い旨を表示していたことを示し、「本発明導入後」はディスク編集装置内の記録再生可能ディスク有無に関係無くタイトル情報を一覧表示できることを示している。このように、記録再生可能ディスク有無に関係無くタイトル情報を一覧表示することができるので、過去に記録再生したタイトルの確認が容易に行えるようになる。
【００６２】
（実施の形態１０）
本発明の実施の形態１０について、図１０を用いて説明する。なお、図１０の（ａ）における手段９１〜９３は図９における手段９１〜９３と同一の内容である。実施の形態９と異なる点は、システム制御手段が、タイトル情報一致判断ステップ９４でタイトル情報記録手段のタイトル情報とディスク編集装置内の記録再生可能ディスクのタイトル情報とを一致判断し、タイトル情報表示ステップ９２でのタイトル一覧表示の際に、記録再生可能ディスクに存在するタイトル情報とタイトル情報記録手段にのみ存在するタイトル情報とを区別して表示し、記録再生可能ディスクに存在するタイトルを他のタイトルと区別して表示する点にある。
【００６３】
この方法によって表示されるタイトル一覧表示は、例えば図１０の（ｂ）に示すようなものであり、「従来」はディスク編集装置内に記録再生可能ディスクが存在する場合に、記録再生ディスクに存在するタイトル情報を一覧表示していたことを示し、「本発明導入後」はディスク編集装置で過去に記録再生したタイトル情報一覧を表示する中でディスク編集装置内の記録再生可能ディスクのタイトルは他と区別して表示できることを示している。このように、ディスク編集装置内に記録再生可能ディスクが存在する場合には区別して表示することができるので、過去に記録再生したタイトル一覧表示の中におけるディスク編集装置内の記録再生ディスクの記録内容を容易に区別できるようになる。
【００６４】
（実施の形態１１）
本発明の実施の形態１１について、図１１を用いて説明する。図１１の（ａ）において、タイトル情報を一覧表示する際には、システム制御手段がディスク有無判断ステップ１０１で記録再生可能ディスクの有無を判断し、記録再生可能ディスクが有る場合にタイトル情報比較判断ステップ１０２で記録再生可能ディスクのタイトル情報とタイトル情報記録手段のタイトル情報とを比較判断して記録再生可能ディスクのタイトル情報の更新の有無を判断し、タイトル情報比較判断ステップ１０２で記録再生可能ディスクのタイトル情報が更新されているとした判断する場合にタイトル記録情報更新ステップ１０３でタイトル情報記録手段のタイトル情報を記録再生可能ディスクのタイトル情報に更新する点にある。
【００６５】
この方法によって表示されるタイトル一覧表示は、例えば図１１の（ｂ）に示すようなものであり、「記録再生可能ディスクの情報」に「タイトル情報記録手段の情報」と異なる情報、あるいは追加された情報が有ると判断した場合に、タイトル情報記録手段の情報を自動的に更新することを示している。このように、記録再生可能ディスクとタイトル情報記録手段の情報が異なる場合には自動的に更新できるので、他のディスク編集装置で記録された記録再生可能ディスクであってもタイトル情報記録手段の情報は常に更新できるようになる。
【００６６】
（実施の形態１２）
本発明の実施の形態１２について、図１２を用いて説明する。図１２の（ａ）において、タイトル情報一覧表示する際には、システム制御手段が、記録再生可能ディスク有無判断ステップ１１１でディスク編集装置内の記録再生可能ディスクの有無を判断し、記録再生可能ディスクが有る場合にタイトル情報表示ステップ１１２で記録再生可能ディスクのタイトル情報を一覧表示し、記録再生可能ディスクが無い場合にタイトル情報表示ステップ１１３でタイトル情報記録手段のタイトル情報を表示する。このタイトル情報の一覧表示に際し、ディスク識別ステップ１１４の判断結果に基づいてタイトル情報記録手段のタイトル情報を各記録再生可能ディスク毎に区別して一覧表示する。
【００６７】
この方法によって表示されるタイトル一覧表示は、例えば図１２の（ｂ）に示すようなものであり、「従来」は記録再生可能ディスクが存在する場合に記録再生ディスクに存在するタイトル情報を一覧表示していたことを示し、「本発明導入後」はディスク編集装置で過去に記録再生したタイトル情報一覧を表示する中でディスク毎に分類して表示できることを示している。このように、ディスク毎に分類して表示することができるので、過去に記録再生したタイトル一覧表示におけるディスク毎のタイトル情報記録内容を容易に区別できるようになる。
【００６８】
（実施の形態１３）
本発明の実施の形態１３について、図１３を用いて説明する。図１３の（ａ）において、タイトル情報一覧表示する際には、記録再生可能ディスク有無判断ステップ１２１でディスク編集装置内の記録再生可能ディスクの有無を判断し、記録再生可能ディスクが有る場合にタイトル情報表示ステップ１２２で記録再生可能ディスクのタイトル情報を一覧表示し、記録再生可能ディスクが無い場合にタイトル情報表示ステップ１２３でタイトル情報記録手段のタイトル情報を表示する。このタイトル情報の一覧表示に際し、システム制御手段が、アクセス回数制御ステップ１２４でコンテンツ情報の記録再生のアクセス回数を記録制御し、アクセス回数制御ステップ１２４で記録した各コンテンツ情報のアクセス回数順に並べ替えてタイトル情報記録手段に記録したタイトル情報を一覧表示する。
【００６９】
この方法によって表示されるタイトル一覧表示は、例えば図１３の（ｂ）に示すようなものであり、「従来」は記録再生可能ディスクが存在する場合に、記録再生ディスクに存在するタイトル情報を一覧表示していたことを示し、「本発明導入後」はディスク編集装置で過去に記録再生したタイトル情報一覧をアクセス回数順に並べ替えて表示できることを示している。このように、タイトル毎のアクセス回数順に並べ替えて表示することができるので、過去に記録再生した映像音声情報の中で頻繁に記録再生するタイトルを容易に把握できるようになる。
【産業上の利用可能性】
【００７０】
以上のように、本発明によるディスク編集装置、または、タイトル表示方法は、ディスク編集装置内のディスク有無に係わらず、過去に記録再生したことのあるタイトル情報を一覧表示できる機能を有し、ディスク編集装置内に記録再生可能ディスクを出し入れする煩わしさ無くタイトル情報の確認を容易に行う方法として非常に有用である。また、タイトル一覧表示を行う方法に工夫を施すことにより、所有する記録再生ディスク枚数が増えた際にもタイトル情報の区別、把握する方法として非常に有用である。
【図面の簡単な説明】
【００７１】
【図１】本発明の実施の形態1に係るディスク編集装置におけるタイトル一覧表示手段の一例を示す構成図
【図２】本発明の実施の形態２に係るディスク編集装置におけるタイトル一覧表示手段の一例を示す構成図
【図３】本発明の実施の形態３に係るディスク編集装置におけるタイトル一覧表示手段の一例を示す構成図
【図４】本発明の実施の形態４に係るディスク編集装置におけるタイトル一覧表示手段の一例を示す構成図
【図５】本発明の実施の形態５に係るディスク編集装置におけるタイトル一覧表示手段の一例を示す構成図
【図６】本発明の実施の形態６に係るディスク編集装置におけるタイトル一覧表示手段の一例を示す構成図
【図７】本発明の実施の形態７に係るディスク編集装置におけるタイトル一覧表示手段の一例を示す構成図
【図８】本発明の実施の形態８に係るディスク編集装置におけるタイトル一覧表示手段の一例を示す構成図
【図９】本発明の実施の形態９に係るタイトル一覧表示方法におけるタイトル一覧表示フローの一例を示すフロー図
【図１０】本発明の実施の形態１０に係るタイトル一覧表示方法におけるタイトル一覧表示フローの一例を示すフロー図
【図１１】本発明の実施の形態１１に係るタイトル一覧表示方法におけるタイトル一覧表示フローの一例を示すフロー図
【図１２】本発明の実施の形態１２に係るタイトル一覧表示方法におけるタイトル一覧表示フローの一例を示すフロー図
【図１３】本発明の実施の形態１３に係るタイトル一覧表示方法におけるタイトル一覧表示フローの一例を示すフロー図
【符号の説明】
【００７２】
１  ディスク編集装置
２  記録再生可能ディスク
１１  情報読み出し書き込み手段
１２  タイトル情報識別手段
１３  タイトル情報表示手段
１４  システム制御手段
１５  タイトル情報記録手段
２１  タイトル情報一致判断手段
３１  タイトル情報更新判断手段
４１  ディスク識別手段
５１  タイトル情報独立記録手段
６１  アクセス回数制御手段
７１  タイトル情報変更手段
８１  タイトル情報更新判断手段
８２  タイトル情報変更手段
９１  記録再生可能ディスク有無判断ステップ
９２  タイトル情報表示ステップ
９３  タイトル情報表示ステップ
９４  タイトル情報一致判断ステップ
１０１  ディスク有無判断ステップ
１０２  タイトル情報比較判断ステップ
１０３  タイトル記録情報更新ステップ
１１１  記録再生可能ディスク有無判断ステップ
１１２  タイトル情報表示ステップ
１１３  タイトル情報表示ステップ
１１４  ディスク識別ステップ
１２１  記録再生可能ディスク有無判断ステップ
１２２  タイトル情報表示ステップ
１２３  タイトル情報表示ステップ
１２４  アクセス回数制御ステップ
【図１】
2005203049.tif 000003
【図２】
2005203049.tif 000004
【図３】
2005203049.tif 000005
【図４】
2005203049.tif 000006
【図５】
2005203049.tif 000007
【図６】
2005203049.tif 000008
【図７】
2005203049.tif 000009
【図８】
2005203049.tif 000010
【図９】
2005203049.tif 000011
【図１０】
2005203049.tif 000012
【図１１】
2005203049.tif 000013
【図１２】
2005203049.tif 000014
【図１３】
2005203049.tif 000015